(57)【特許請求の範囲】
【請求項１】
供給が停止状態の検知と，管理者における，発電機と操作手段での供給手段であって，需要家側においては，供給が停止状態に伴うリミッター電流制限器(１)に接続された，一次送りブレーカ(７)負荷側(８)の検知操作手段１Ａは，供給が停止状態を検知して，リミッター電流制限器(１)に接続された主開閉器(２)と，引き込み開閉器とはＤＣ開放手段とし，主開閉器(２)に係る開放に伴う，一次送りブレーカ(７)負荷側(８)の検知操作手段２Ａは，接地極Ｅ３−１に係るスイッチ(Ｓ１)をＤＣでオンと，分岐ブレーカ(３)負荷側(４)のＬ側幹線（Ｌ４）に係る帯電を放電する手段とし，放電に伴う一次送りブレーカ（７）負荷側(８)の検知操作手段３Ａは，供給が停止状態の検知と放電手段において，接地極Ｅ３‐１に係るスイッチ(Ｓ１)はＤＣでオフと，放電の開放手段とし，供給が停止状態の確認手段を備えた修復依頼システム。
【請求項２】
以降は，供給が停止状態に伴う引き込み開閉器の開放手段と，放電の開放手段を具備する構成に伴う，管理者における，発電機と操作手段での供給手段であって，前記供給手段は，一次送りブレーカ(７)負荷側(８)に係る電力量計側器(９)においては，一次送りブレーカ(７)負荷側(８)に係る，検知操作手段及び常時供給機器に係る消費使用の電力量とし，電力量計側器(９)において，前記負荷側(８)に係る消費使用のデジタル電力量と，計側収集保存送信機器(１０)においては，操作可能電流値を計測表示手段と，継続して計測値を収集と保存する手段を備えた，ことを特徴とする請求項１記載の修復依頼システム。
【請求項３】
次に，供給が停止状態の検知と，管理者における，発電機と操作手段での供給手段であって，以降の操作は，並列接続状態(２０)に係る線路の帯電手段に伴う電流検知(５１)と，漏れ接続状態直列(２１)に係る線路の帯電手段に伴う電流検知(５１)と，帯電検知に伴う分岐回路遮断手段とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，リミッター電流制限器(１)に接続された主開閉器(２)に係る再投入オン手段と，一次送りブレーカ(７)負荷側(８)に係る，検知操作手段及び常時供給機器に係る消費使用の電力量は，電力量計側器(９)において，前記負荷側(８)に係る消費使用のデジタル電力量とし，計側収集保存送信機器(１０)においては，操作可能電流値を計測表示手段と，前記負荷側(８)に係る消費使用のデジタル電力量と，継続して計測値を収集と保存する手段を備えた，ことを特徴とする請求項１から２記載の修復依頼システム。
【請求項４】
続いて，供給が停止状態の検知と，管理者における，発電機と操作手段での供給手段であって，待機電流に係る省エネスイッチ手段を具備する構成は，主開閉器(２)に係る再投入オン手段に伴う，開放された各操作スイッチ(Ｓ１)〜(Ｓ６)に係る開放確認手段と，手動投入手段であって，以降の操作は，電力量計側器(１１)の電源側スイッチ(Ｓ３)を操作オンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，前記ゼロクロス開閉器(Ｓ５)に係る並列接続ネオンランプｅ５は，交流１００Ｖでは７０Ｖで陰極グローと負極が発光により，電圧３５Ｖのドリフト電流ｅ７でＬＥＤｅ６が点灯の検知手段であって，ドリフト電流ｅ７は，電源側に係る線路の帯電手段を備えた，ことを特徴とする請求項１から３記載の修復依頼システム。
【請求項５】
次に，供給が停止状態の検知と，管理者における，発電機と操作手段での供給手段であって，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オンに伴う負荷機器(２７)の並列接続状態に係る点灯は，ゼロクロス開閉器(Ｓ５)を操作オンに伴う負荷機器(２７)における消費使用の電力量とし，電力量計側器(１１)と計側収集保存送信機器(１０)においては，操作可能電流値を計測表示手段と，分岐ブレーカ(３)負荷側(４)に係る消費使用のデジタル電力量と，共に継続して計測値を収集と保存する手段を備えた，ことを特徴とする請求項１から４記載の修復依頼システム。
【発明の詳細な説明】
【技術分野】
【０００１】
本発明は，供給が停止状態の検知と，管理者における，発電機と操作手段での供給であって，需要家においては，供給が停止状態に伴うリミッター電流制限器(１)に接続された，一次送りブレーカ(７)負荷側(８)の検知操作手段１Ａは，供給が停止状態を検知して，リミッター電流制限器(１)に接続された主開閉器(２)はＤＣ開放手段とし，主開閉器(２)に係る開放に伴う，一次送りブレーカ(７)負荷側(８)の検知操作手段２Ａは，接地極Ｅ３−１に係るスイッチ(Ｓ１)をＤＣでオンと，分岐ブレーカ(３)負荷側(４)のＬ側幹線(Ｌ４)に係る帯電を放電する手段とし，前記放電に伴う一次送りブレーカ(７)負荷側(８)の検知操作手段３Ａは，供給が停止状態の検知と放電手段において，接地極Ｅ３‐１に係るスイッチ(Ｓ１)はＤＣでオフと，放電の開放手段とし，供給が停止状態の確認手段を備えた，修復を依頼するシステム，に関するものである。
【背景技術】
【０００２】
従来技術は，供給が継続されている状態においての，地震における需要家において，放電の開放手段に伴う，一次送りブレーカ(７)負荷側(８)に係る電力量計側器(９)であって，前記一次送りブレーカ(７)負荷側(８)に係る，検知操作手段及び常時供給機器に係る消費使用の電力量は，電力量計側器(９)において，前記負荷側(８)に係る消費使用のデジタル電力量とし，継続して計測値を収集と保存する手段を備えた，クラウドデータセンターに送信配信総合システム(特許文献１)と(特許文献２)とが知られている。
【０００３】
また，従来技術は，供給が継続されている状態においての，分岐ブレーカ負荷側の端末機器における不良個所の検知は，各操作スイッチＳ１〜Ｓ６はオフとする手段を具備する構成であって， 手動オンに伴う負荷機器(２７)の並列接続状態に係る点灯は，ゼロクロス開閉器(Ｓ５)オンに伴う負荷機器(２７)における消費使用の電力量とし，電力量計側器(１１)と計側収集保存送信機器(１０)において，分岐ブレーカ(３)負荷側(４)に係る消費使用のデジタル電力量とし，共に継続して計測値を収集と保存する手段を備えた，クラウドデータセンターに送信配信総合システム(特許文献１)と(特許文献２)とが知られている。
【先行技術文献】
【特許文献】
【０００４】
【特許文献１】特許第５７３１６９１号公報
【特許文献２】特許第５７７０９０２号公報
【発明の概要】
【発明が解決しようとする課題】
【０００５】
しかしながら，地震における需要家において，従来技術では，供給が継続されている状態においての，地震の検知とリミッター電流制限器に接続の主幹の開放と，放電スイッチの投入及び開放で，幹線の帯電を放電とし，次に，分岐ブレーカの開放は，検知確認と回路の開放とで構成されている。
【０００６】
次に，従来技術においては，供給が継続されている状態においての，電気用品(測定対象体)を用いた漏れ電流箇所を測定と検知であって，分岐ブレーカの負荷側における回路に係る検知確認と，分岐ブレーカの開放は，検知確認と回路の開放とで構成されている。
また，分岐ブレーカ負荷側の端末機器における不良個所の検知は，各操作スイッチＳ１〜Ｓ６はオフとする手段を具備する構成となっている。 
【０００７】
また，従来技術においては，供給が継続されている状態においての，手動オンに伴う負荷機器(２７)の並列接続状態に係る点灯は，ゼロクロス開閉器(Ｓ５)オンに伴う負荷機器(２７)における消費使用の電力量とし，電力量計側器(１１)と計側収集保存送信機器(１０)において，分岐ブレーカ(３)負荷側(４)に係る消費使用のデジタル電力量とし，共に継続して計測値を収集と保存する手段を備えた，クラウドデータセンターに送信配信総合システム(特許文献１)と(特許文献２)とが知られている。
【０００８】
しかしながら，供給が停止状態の検知と，管理者における，発電機と操作手段での供給手段とし，電力量計側器(１１)と計側収集保存送信機器(１０)においては，操作可能電流値を計測表示手段と，分岐ブレーカ(３)負荷側(４)に係る消費使用のデジタル電力量と，共に継続して計測値を収集と保存する手段を備えた，修復依頼システムと，クラウドデータセンターに送信配信総合システムには成っていない，本発明は，これらの問題点を解決するシステムを提供することを目的とする。
【課題を解決するための手段】
【０００９】
上記目的を達成するため，本発明の請求項１では，供給が停止状態の検知と，管理者における，発電機と操作手段での供給手段であって，需要家側においては，供給が停止状態に伴うリミッター電流制限器(１)に接続された，一次送りブレーカ(７)負荷側(８)の検知操作手段１Ａは，供給が停止状態を検知して，リミッター電流制限器(１)に接続された主開閉器(２)と，引き込み開閉器とはＤＣ開放手段とし，主開閉器(２)に係る開放に伴う，一次送りブレーカ(７)負荷側(８)の検知操作手段２Ａは，接地極Ｅ３−１に係るスイッチ(Ｓ１)をＤＣでオンと，分岐ブレーカ(３)負荷側(４)のＬ側幹線(Ｌ４)に係る，帯電を放電する手段とし，放電に伴う一次送りブレーカ(７)負荷側(８)の検知操作手段３Ａは，供給が停止状態の検知手段と放電手段において，接地極Ｅ３‐１に係るスイッチ(Ｓ１)はＤＣでオフと，放電の開放手段とし，供給が停止状態の確認手段を備えた，修復依頼システム。
【００１０】
請求項２の発明は，請求項１において，供給が停止状態に伴う引き込み開閉器の開放手段と，放電の開放手段を具備する構成に伴う，管理者における，発電機と操作手段での供給手段であって，前記供給手段は，一次送りブレーカ(７)負荷側(８)に係る電力量計側器(９)においては，一次送りブレーカ(７)負荷側(８)に係る，検知操作手段及び常時供給機器に係る消費使用の電力量とし，電力量計側器(９)において，前記負荷側(８)に係る消費使用のデジタル電力量とし，計側収集保存送信機器(１０)においては，操作可能電流値を計測表示手段とし，継続して計測値を収集と保存する手段を備えた，修復依頼システム。
【００１１】
請求項３の発明は，請求項２において，供給が停止状態の検知と，管理者における，発電機と操作手段での供給手段であって，以降の操作は，並列接続状態(２０)に係る線路の帯電手段に伴う電流検知(５１)と，漏れ接続状態直列(２１)に係る線路の帯電手段に伴う電流検知(５１)と，帯電検知に伴う分岐回路遮断手段とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，リミッター電流制限器(１)に接続された主開閉器(２)に係る再投入オン手段と，一次送りブレーカ(７)負荷側(８)に係る，検知操作手段及び常時供給機器に係る消費使用の電力量は，電力量計側器(９)において，前記負荷側(８)に係る消費使用のデジタル電力量とし，計側収集保存送信機器(１０)においては，操作可能電流値を計測表示手段と，前記負荷側(８)に係る消費使用のデジタル電力量と，継続して計測値を収集と保存する手段を備えた，修復依頼システム。
【００１２】
請求項４の発明は，請求項３において，供給が停止状態の検知と，管理者における，発電機と操作手段での供給手段であって，待機電流に係る省エネスイッチ手段を具備する構成は，主開閉器(２)に係る再投入オン手段に伴う，開放された各操作スイッチ(Ｓ１)〜(Ｓ６)に係る開放確認手段と，手動投入手段であって，以降の操作は，電力量計側器(１１)の電源側スイッチ(Ｓ３)を操作オンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，前記ゼロクロス開閉器(Ｓ５)に係る並列接続ネオンランプｅ５は，交流１００Ｖでは７０Ｖで陰極グローと負極が発光により，電圧３５Ｖのドリフト電流ｅ７でＬＥＤｅ６が点灯の検知手段であって，ドリフト電流ｅ７は，電源側に係る線路の帯電手段を備えた，修復依頼システム。
【００１３】
請求項５の発明は，請求項４において，供給が停止状態の検知と，管理者における，発電機と操作手段での供給手段であって，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オンに伴う負荷機器(２７)の並列接続状態に係る点灯は，ゼロクロス開閉器(Ｓ５)を操作オンに伴う負荷機器(２７)における消費使用の電力量とし，電力量計側器(１１)と計側収集保存送信機器(１０)においては，操作可能電流値を計測手段と，分岐ブレーカ(３)負荷側(４)に係る消費使用のデジタル電力量と，共に継続して計測値を収集と保存する手段を備えた，修復依頼システム。
【発明の効果】
【００１４】
本発明の請求項１では，供給が停止状態の検知と，管理者における，発電機と操作手段での供給手段であって，需要家側においては，供給が停止状態に伴うリミッター電流制限器(１)に接続された，一次送りブレーカ(７)負荷側(８)の検知操作手段１Ａは，供給が停止状態を検知して，リミッター電流制限器(１)に接続された主開閉器(２)と，引き込み開閉器とはＤＣ開放手段とし，主開閉器(２)に係る開放に伴う，一次送りブレーカ(７)負荷側(８)の検知操作手段２Ａは，接地極Ｅ３−１に係るスイッチ(Ｓ１)をＤＣでオンと，分岐ブレーカ(３)負荷側(４)のＬ側幹線(Ｌ４)に係る，帯電を放電する手段とし，放電に伴う一次送りブレーカ(７)負荷側(８)の検知操作手段３Ａは，供給が停止状態の検知手段と放電手段において，接地極Ｅ３‐１に係るスイッチ(Ｓ１)はＤＣでオフと，放電の開放手段とし，供給が停止状態の確認手段を備えた，修復依頼システムと，インターネットに接続とし，クラウドデータセンターに係る送信と配信する総合システムは，供給が停止状態の検知手段と，管理者における，発電機と操作手段での供給手段に移行し易くなる効果がある。
【００１５】
請求項２の発明は、請求項１において，供給が停止状態に伴う引き込み開閉器の開放手段と，放電の開放手段を具備する構成に伴う，管理者における，発電機と操作手段での供給手段であって，前記供給手段は，一次送りブレーカ(７)負荷側(８)に係る電力量計側器(９)においては，一次送りブレーカ(７)負荷側(８)に係る，検知操作手段及び常時供給機器に係る消費使用の電力量とし，電力量計側器(９)において，前記負荷側(８)に係る消費使用のデジタル電力量とし，計側収集保存送信機器(１０)においては，操作可能電流値を計測表示手段とし，継続して計測値を収集と保存する手段を備えた，修復依頼システムは，インターネットに接続とし，クラウドデータセンターに係る送信と配信する総合システムになる。
よって，管理者における，発電機と操作手段での供給と，前記一次送りブレーカ(７)負荷側(８)に係る消費使用のデジタル電力量と，インターネットに接続と，クラウドデータセンターにおいて，消費使用のデジタル電力量データとし，収集と保存する手段と，課金データを備えたシステムになる効果がある。
【００１６】
請求項３の発明は，請求項２において，供給が停止状態の検知と，管理者における，発電機と操作手段での供給手段であって，以降の操作は，並列接続状態(２０)に係る線路の帯電手段に伴う電流検知(５１)と，漏れ接続状態直列(２１)に係る線路の帯電手段に伴う電流検知(５１)と，帯電検知に伴う分岐回路遮断手段とし，回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，リミッター電流制限器(１)に接続された主開閉器(２)に係る再投入オン手段と，一次送りブレーカ(７)負荷側(８)に係る，検知操作手段及び常時供給機器に係る消費使用の電力量は，電力量計側器(９)において，前記負荷側(８)に係る消費使用のデジタル電力量とし，計側収集保存送信機器(１０)においては，操作可能電流値を計測表示手段と，前記負荷側(８)に係る消費使用のデジタル電力量と，継続して計測値を収集と保存する手段を備えた，修復依頼システムと，インターネットに接続とし，クラウドデータセンターに係る送信と配信する総合システムになる。よって，管理者における，発電機と操作手段での供給と，前記一次送りブレーカ(７)負荷側(８)に係る消費使用のデジタル電力量と，インターネットに接続と，クラウドデータセンターにおいて，消費使用のデジタル電力量データとし，収集と保存する手段と，課金データを備えたシステムになる効果がある。
【００１７】
請求項４の発明は，請求項３において，供給が停止状態の検知と，管理者における，発電機と操作手段での供給手段であって，待機電流に係る省エネスイッチ手段を具備する構成は，主開閉器(２)に係る再投入オン手段に伴う，開放された各操作スイッチ(Ｓ１)〜(Ｓ６)に係る開放確認手段と，手動投入手段であって，以降の操作は，電力量計側器(１１)の電源側スイッチ(Ｓ３)を操作オンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，前記ゼロクロス開閉器(Ｓ５)に係る並列接続ネオンランプｅ５は，交流１００Ｖでは７０Ｖで陰極グローと負極が発光により，電圧３５Ｖのドリフト電流ｅ７でＬＥＤｅ６が点灯の検知手段であって，ドリフト電流ｅ７は，電源側に係る線路の帯電手段を備えた，修復依頼システムと，インターネットに接続とし，クラウドデータセンターに係る送信と配信する総合システムになる。
【００１８】
請求項５の発明は，請求項４において，供給が停止状態の検知と，管理者における，発電機と操作手段での供給手段であって，分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，手動オンに伴う負荷機器(２７)の並列接続状態に係る点灯は，ゼロクロス開閉器(Ｓ５)を操作オンに伴う負荷機器(２７)における消費使用の電力量とし，電力量計側器(１１)と計側収集保存送信機器(１０)においては，操作可能電流値を計測表示手段と，分岐ブレーカ(３)負荷側(４)に係る消費使用のデジタル電力量と，共に継続して計測値を収集と保存する手段を備えた，修復依頼システムと，インターネットに接続とし，クラウドデータセンターに係る送信と配信する総合システムになる。
よって，管理者における，発電機と操作手段での供給と，前記分岐ブレーカ(３)負荷側(４)に係る消費使用のデジタル電力量は，インターネットに接続と，クラウドデータセンターにおいて，消費使用のデジタル電力量データとし，収集と保存する手段と，課金データを備えたシステムになる効果がある。
【図面の簡単な説明】
【００１９】
【図１】供給が停止状態を検知と主開閉器と引き込み開閉器に係るＤＣ開放手段と放電の開放手段とは，需要家における，供給が停止状態の検知と消費使用のデジタル電力量データを備えたシステム構成図。
【図２】管理者における，発電機と操作手段での供給と，負荷側(８)に係る消費使用のデジタル電力量は，インターネットに接続と， クラウドデータセンターにおいて，消費使用のデジタル電力量データとし，収集と保存する手段と，課金データを備えたシステム構成図。
【図３】管理者における，発電機と操作手段での供給と，負荷側(４)に係る消費使用のデジタル電力量は，インターネットに接続と，クラウドデータセンターにおいて，消費使用のデジタル電力量データとし，収集と保存する手段と，課金データを備えたシステム構成図。
【発明を実施するための形態】
【００２０】
図1記載は，発電機の入力コンセントと開閉器，接続幹線，切換え開閉器，分岐幹線，引き込み開閉器，分岐幹線，リミッター電流制限器(１)には，発電機の供給入力側手段とし，主幹線の供給入力手段には，接続幹線，引き込み開閉器，分岐幹線，リミッター電流制限器(１)とし，分岐幹線に接続された，一次送りブレーカ(７)負荷側(８)の検知操作手段１Ａは，供給が停止状態を検知して，リミッター電流制限器(１)の分岐幹線に接続された主開閉器(２)と，引き込み開閉器とはＤＣ開放手段と放電の開放手段とは，需要家における，供給が停止状態の検知に伴う消費使用のデジタル電力量データを備えた，修復依頼システムの構成図を用いて，本発明の，実施の形態に伴う構成と，以降の操作手段を説明する。
【実施例１】
【００２１】
１．本発明の請求項１では，供給が停止状態の検知と，管理者における，発電機と操作手段での，供給の実施手段であって，
２．図１記載，需要家側においては，供給が停止状態に伴うリミッター電流制限器(１)に接続された，一次送りブレーカ(７)負荷側(８)の検知操作手段１Ａは，供給が停止状態を検知して，リミッター電流制限器(１)に接続された主開閉器(２)と，引き込み開閉器とは，ＤＣ開放手段となる。
３．次に，前記主開閉器(２)に係る開放に伴う，一次送りブレーカ(７)負荷側(８)の検知操作手段２Ａは，接地極Ｅ３−１に係るスイッチ(Ｓ１)をＤＣでオンと，分岐ブレーカ(３)負荷側(４)のＬ側幹線(Ｌ４)に係る，帯電を放電する手段とし，
４．放電に伴う一次送りブレーカ(７)負荷側(８)の検知操作手段３Ａは，供給が停止状態の検知と放電手段において，接地極Ｅ３‐１に係るスイッチ(Ｓ１)はＤＣでオフと，放電の開放手段とし，供給が停止状態の確認手段を備えた，修復依頼システムとなる。
【００２２】
１．請求項２の発明は，請求項１において，供給が停止状態に伴う引き込み開閉器の開放と，放電の開放手段を具備する構成に伴う，図２記載の管理者における，発電機と操作手段での供給の実施手段であって，
２．前記供給手段は，一次送りブレーカ(７)負荷側(８)に係る電力量計側器(９)においては，前記一次送りブレーカ(７)負荷側(８)に係る，検知操作手段及び常時供給機器に係る消費使用の電力量とし，電力量計側器(９)において，前記負荷側(８)に係る消費使用のデジタル電力量とし，
３．計側収集保存送信機器(１０)においては，操作可能電流値を計測表示手段と，継続して計測値を収集と保存する手段を備えた，修復依頼システムと，インターネットに接続とし，クラウドデータセンターに係る送信と配信する総合システムになる。
４．よって，管理者における，発電機と操作手段での供給の実施手段と，前記一次送りブレーカ(７)負荷側(８)に係る消費使用のデジタル電力量は，インターネットに接続と，クラウドデータセンターにおいて，消費使用のデジタル電力量データとし，収集と保存する手段と，課金データを備えたシステムとなる。
【００２３】
５．請求項３の発明は，請求項２において，図２記載の供給が停止状態の検知と，管理者における，発電機と操作手段での供給の実施手段であって，
６．以降の操作は，並列接続状態(２０)に係る線路の帯電手段に伴う電流検知(５１)と，漏れ接続状態直列(２１)に係る線路の帯電手段に伴う電流検知(５１)と，帯電検知に伴う分岐回路遮断手段とし，
７．回路遮断された分岐ブレーカ(５２)の負荷側(５３)に係る回路開放に伴う消灯の検知手段と，各操作スイッチ(Ｓ１)〜(Ｓ６)に係る開放手段と，入力側に切り替わり手段とし，リミッター電流制限器(１)に接続された，主開閉器(２)に係る再投入オン手段とし，
８．一次送りブレーカ(７)負荷側(８)に係る，検知操作手段及び常時供給機器に係る消費使用の電力量は，電力量計側器(９)において，前記負荷側(８)に係る消費使用のデジタル電力量とし，
９．計側収集保存送信機器(１０)においては，操作可能電流値を計測表示手段と，前記負荷側(８)に係る消費使用のデジタル電力量と，継続して計測値を収集と保存する手段を備えた，修復依頼システムと，インターネットに接続とし，クラウドデータセンターに係る送信と配信する総合システムになる。１０．よって，管理者における，発電機と操作手段での供給の実施手段と，前記一次送りブレーカ(７)負荷側(８)に係る消費使用のデジタル電力量は，インターネットに接続と，クラウドデータセンターにおいて，消費使用のデジタル電力量データとし，収集と保存する手段と，課金データを備えたシステムとなる。
【００２４】
１．請求項４の発明は，請求項３において，図３記載の供給が停止状態の検知と，管理者における，発電機と操作手段での供給の実施手段であって，
２．待機電流に係る省エネスイッチ手段を具備する構成は，主開閉器(２)に係る再投入オン手段に伴う，開放された各操作スイッチ(Ｓ１)〜(Ｓ６)に係る開放確認手段と，手動投入手段であって，
３．以降の操作は，電力量計側器(１１)の電源側スイッチ(Ｓ３)を操作オンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，前記ゼロクロス開閉器(Ｓ５)に係る並列接続ネオンランプｅ５は，交流１００Ｖでは７０Ｖで陰極グローと負極が発光により，電圧３５Ｖのドリフト電流ｅ７でＬＥＤｅ６が点灯の検知手段であって，
４．ドリフト電流ｅ７は，電源側に係る線路の帯電手段を備えた，修復依頼システムと，インターネットに接続とし，クラウドデータセンターに係る送信と配信する総合システムになる。
【００２５】
５．請求項５の発明は，請求項４において，図３記載の供給が停止状態の検知と，管理者における，発電機と操作手段での供給の実施手段であって，
６．分岐ブレーカ(３)負荷側(４)線路の端末接地極付コンセント(１９)には，操作を目的とした，プラグ接続測定対象体(２１)の負荷機器(２７)に係る電源側スイッチ(Ｓ８)であって，
７．手動オンに伴う負荷機器(２７)の並列接続状態に係る点灯は，ゼロクロス開閉器(Ｓ５)を操作オンに伴う負荷機器(２７)における消費使用の電力量とし，電力量計側器(１１)と計側収集保存送信機器(１０)においては，操作可能電流値を計測表示手段と，分岐ブレーカ(３)負荷側(４)に係る消費使用のデジタル電力量と，共に継続して計測値を収集と保存する手段を備えた，修復依頼システムと，インターネットに接続とし，クラウドデータセンターに係る送信と配信する総合システムになる。８．よって，管理者における，発電機と操作手段での供給の実施手段と，前記分岐ブレーカ(３)負荷側(４)に係る消費使用のデジタル電力量は，インターネットに接続と，クラウドデータセンターにおいて，消費使用のデジタル電力量データとし，収集と保存する手段と，課金データを備えたシステムとなる。
【実施例２】
【００２６】
１．図２記載の供給が停止状態と，管理者における，発電機と操作手段での供給の実施手段において，
２．以降の操作は，回路開放された分岐ブレーカ(５２)に係る入力側は(Ｘ)とし，切り替わり手段において，供給入力に伴う操作手段と，直列接続状態と並列接続状態における構成であって，
３．回路開放された分岐ブレーカ(５２)おいては，分電盤内機器となるので開放確認と，分岐ブレーカ(３)負荷側(４)の線路(４Ｌ)と(４Ｎ)の間に設置した，クリップ測定対象体(２０)に係る，並列接続状態における構成を備えた，修復依頼システムになる。
４．回路開放された分岐ブレーカ(５２)おいては，分電盤内機器となるので開放確認と，測定対象体(２１)の機器内負荷側線路(Ｌ)及び線路(Ｎ)と，電気用品の外装(２６)間における漏れ接続(Ｒ３)及び漏れ接続(Ｒ４)に係る，直列接続状態における構成を備えた，修復依頼システムになる。
５．なお，以降は，開放された各操作スイッチ(Ｓ１)〜(Ｓ６)に係る入力側は(Ｙ)とし，切り替わり手段を具備する構成と，入力側(Ｙ)に係る供給に伴う入力操作は，開放された各操作スイッチ(Ｓ１)〜(Ｓ６)に係る開放確認を備えた，修復依頼システムになる。
【実施例３】
【００２７】
１．図３記載の供給が停止状態と，管理者における，発電機と操作手段での供給の実施手段において，以降の操作は，電力量計側器(１１)の電源側スイッチ(Ｓ３)をオンとし，２．分岐ブレーカ(３)負荷側(４)線路の端末接地極付コンセント(１９)には，操作を目的とした，プラグ接続測定対象体(２１)とし，
３．負荷機器(２７)電源側スイッチ(Ｓ８)は，手動オフに伴う並列接続状態(トラッキング状態Ｒ２)に係る点灯確認とする手段とし，並列接続状態における構成を備えた，修復依頼システムになる。
４．なお，点灯確認後においては，電源側リモコン開閉器(Ｓ４)はオフと，ゼロクロス開閉器(Ｓ５)はオフと，中性Ｎ側中性極スイッチ(Ｓ６)はオフとを備えた，修復依頼システムになる。
５．次に，前記分岐ブレーカ(３)負荷側(４)線路の端末接地極付コンセント(１９)には，操作を目的とした，プラグ接続測定対象体(２１)とし，
６．負荷機器(２７)電源側スイッチ(Ｓ８)は，手動オンに伴う測定対象体(２１)の機器内負荷側線路(Ｌ)及び線路(Ｎ)と，電気用品の外装(２６)間における漏れ接続(Ｒ３)及び漏れ接続(Ｒ４)に係る点灯確認とする手段と，直列接続状態における構成を備えた，修復依頼システムになる。７．なお，点灯確認後においては，電源側リモコン開閉器(Ｓ４)はオフと，ゼロクロス開閉器(Ｓ５)はオフとしを備えた，修復依頼システムになる。
【符号の説明】
【００２８】
１．供給が停止状態の検知と，管理者における，発電機と操作手段での，供給の実施手段であって，
２．リミッター電流制限器(１)，主開閉器と引き込み開閉器とはＤＣ開放手段とし，
３. 分岐ブレーカ(３)，４Ｌ.負荷側(４Ｌ)，４Ｎ.負荷側(４Ｎ)，
７.一次送りブレーカ(７)，８Ｎ.負荷側(８Ｎ)，８Ｌ.負荷側(８Ｌ)，
９.電力量計側器(９)，１０.計側収集保存送信機器(１０)，１１.電力量計側器(１１)，
１９.端末接地極付コンセント(１９)，２０.クリップ測定対象体(２０)，
２１.プラグ接続測定対象体(２１)，
２６.電気用品の外装(２６)，２７.負荷機器(２７)，
５１.線路の帯電に伴う電流検知(５１)，５２.遮断と遮断回路(５２)，
Ｐ１.電源側Ｐ１，Ｐ２.中性側Ｐ２，Ｌ４.電源Ｌ側４Ｌ，Ｎ４.中性Ｎ側Ｎ４，
４Ｌ.電源４Ｌ，４Ｎ.中性４Ｎ，Ｒ２.トラッキング状態Ｒ２，
Ｒ３.漏れ接続Ｒ３，Ｒ４.漏れ接続Ｒ４，
ｅ１.ネオンランプｅ１，ｅ２.ＬＥＤｅ２，ｅ３.フォトカプラーｅ３，
ｅ４.ドリフト電流ｅ４，
ｅ５.並列接続ネオンランプｅ５，ｅ６.ＬＥＤｅ６，ｅ７.ドリフト電流ｅ７，
(Ｘ).電源側(Ｐ１)，(Ｘ).中性側(Ｐ２)，(Ｙ).電源側(Ｐ１)，(Ｙ).中性側(Ｐ２)，
Ｓ１.接地極Ｅ３−１に係るスイッチ(Ｓ１)，Ｓ２.負荷側(８)に係るスイッチ(Ｓ２)，
Ｓ３.電源側スイッチ(Ｓ３)，Ｓ４.電源側リモコン開閉器(Ｓ４)，
Ｓ５.ゼロクロス開閉器(Ｓ５)，Ｓ６.中性Ｎ側中性極スイッチ(Ｓ６)，
Ｓ７.接地極Ｅ３−１に係るスイッチ(Ｓ７)，
Ｓ８.負荷機器(２７)の電源側スイッチ(Ｓ８)，
一次送りブレーカ(７)負荷側(８)の検知操作手段は：１Ａ，２Ａ，３Ａ， 次に，図1記載は，発電機の入力コンセントと開閉器，接続幹線，切換え開閉器，分岐幹線，引き込み開閉器，分岐幹線，リミッター電流制限器(１)には，発電機の供給入力側手段とし，主幹線の供給入力手段には，接続幹線，引き込み開閉器，分岐幹線，リミッター電流制限器(１)と，分岐幹線に接続された，一次送りブレーカ(７)負荷側(８)の検知操作手段１Ａは，供給が停止状態を検知して，リミッター電流制限器(１)の分岐幹線に接続された主開閉器と，引き込み開閉器とはＤＣ開放手段とし，供給が停止状態の確認手段を備えた，修復依頼システム。
【要約】      （修正有）【課題】修復依頼システムを提供する。【解決手段】電力量計側器(１１)の電源側スイッチ(Ｓ３)を操作オンに伴う待機電流に係る開放確認手段とし，電源側リモコン開閉器(Ｓ４)のオンに伴うゼロクロス開閉器(Ｓ５)はオフと，中性Ｎ側中性極スイッチ(Ｓ６)をオンとし，前記ゼロクロス開閉器(Ｓ５)に係る並列接続ネオンランプｅ５は，交流１００Ｖでは７０Ｖで陰極グローと負極が発光により，電圧３５Ｖのドリフト電流ｅ７でＬＥＤｅ６が点灯の検知手段であって，ドリフト電流ｅ７は，電源側に係る線路の帯電手段と，を備える。【選択図】図１【図１】
0005984229.tif 000002
【図２】
0005984229.tif 000003
【図３】
0005984229.tif 000004